(57)【要約】【課題】環境負荷が低く、かつ、従来の使い捨て履物に比べて履き心地に優れるとともに甲当て部が履物底部から外れにくい使い捨て履物を提供する。【解決手段】ダンボール積層体から形成され、足裏形状に対応する形状を有するインナーソール３００及びインナーソール３００に対応する形状を有するアウターソール４００を有する履物底部２００と、リサイクル可能な材料で形成され、足の甲形状に対応する形状をなす上方部分５１０及びインナーソール３００とアウターソール４００との間に挟まれて履物底部２００に固定される下方部分５２０を有する甲当て部５００とを備え、上方部分５１０には少なくとも足幅方向の伸縮が可能な伸縮部５３０が存在しており、当該伸縮部５３０は、上方部分５１０に対し少なくとも足幅方向の力が加わるとそれぞれが拡開する多数の切り込み５３１でなる。【選択図】図１
2019141356.tif 000002
【特許請求の範囲】
【請求項１】
ダンボール積層体から形成され、足裏形状に対応する形状を有するインナーソール、及び、樹脂又はゴムから形成され、前記インナーソールに対応する形状を有するアウターソールを有する履物底部と、
リサイクル可能な材料で形成され、足の甲形状に対応する形状をなす上方部分、及び、前記インナーソールと前記アウターソールとの間に挟まれることで前記履物底部に固定される下方部分を有する甲当て部と、
を備え、
前記甲当て部の前記上方部分には、少なくとも足幅方向の伸縮が可能な伸縮部が存在しており、当該伸縮部は、前記上方部分に対し少なくとも足幅方向の力が加わると、それぞれが拡開する多数の切り込みでなることを特徴とする使い捨て履物。
【請求項２】
請求項１に記載の使い捨て履物において、
前記甲当て部は、帯状をなすリサイクル可能な材料の長手方向の両端部を接合して環状に形成してなることを特徴とする使い捨て履物。
【請求項３】
請求項１に記載の使い捨て履物において、
前記甲当て部は、リサイクル可能な材料が筒状に形成された筒状部材でなることを特徴とする使い捨て履物。
【請求項４】
請求項１〜３のいずれかに記載の使い捨て履物において、
足の幅方向を左右方向とし、前記足の指先とかかととを結ぶ方向を前後方向としたとき、
前記切り込みは、前後方向に切り込まれた前後方向切り込みでなり、当該前後方向切り込みは、左右方向及び前後方向に沿ってそれぞれが所定本数存在し、それぞれの前後方向切り込みがそれぞれの前後方向切り込みの長手方向において非接触の重複部を有しながら互い違いに設けられていることを特徴とする使い捨て履物。
【請求項５】
請求項４に記載の使い捨て履物において、
前記前後方向切り込みは、前記前後方向切り込みのうち、前記上方部分の前方縁部側に位置する前方縁部側切り込みは、当該前方縁部に達するように設けられており、前記上方部分の後方縁部側に位置する後方縁部側切り込みは、当該後方縁部に達するように設けられていることを特徴とする使い捨て履物。
【請求項６】
請求項４に記載の使い捨て履物において、
前記前後方向切り込みは、前記前後方向切り込みのうち、前記上方部分の前方縁部側に位置する前方縁部側切り込みは、当該前方縁部に達しないように設けられており、前記上方部分の後方縁部側に位置する後方縁部側切り込みは、当該後方縁部に達するように設けられていることを特徴とする使い捨て履物。
【請求項７】
請求項４〜６のいずれかに記載の使い捨て履物において、
前記前後方向切り込みのうち、前記上方部分の後方縁部側に位置する後方縁部側切り込みの長さは、前記上方部分の前方側縁部側に位置する前方縁部側切り込みの長さよりも長く設定されていること特徴とする使い捨て履物。
【請求項８】
請求項１〜３のいずれかに記載の使い捨て履物において、
足の幅方向を左右方向とし、前記足の指先とかかととを結ぶ方向を前後方向としたとき、
前記切り込みは、左右方向に切り込まれた左右方向切り込みでなり、当該左右方向切り込みは、左右方向及び前後方向に沿ってそれぞれが所定本数存在し、それぞれの左右方向切り込みがそれぞれの左右方向切り込みの長手方向において非接触の重複部を有しながら互い違いに設けられていることを特徴とする使い捨て履物。
【請求項９】
請求項１〜８のいずれかに記載の使い捨て履物において、
前記甲当て部は、紙材又は麻材でなることを特徴とする使い捨て履物。
【請求項１０】
請求項１〜９のいずれかに記載の使い捨て履物において、
前記甲当て部は、前記上方部分に非接着で環装される覆い部をさらに有し、当該覆い部は、リサイクル可能な材料でなることを特徴とする使い捨て履物。
【請求項１１】
請求項１〜１０のいずれかに記載の使い捨て履物において、
前記ダンボール積層体は、表裏をなす各主表面部及びこれら主表面部の間に介在した芯部を有する複数のダンボール紙が、各々の主表面部にて順次貼り合わされた構造を有するダンボール積層体であり、
前記ダンボール積層体を構成する各ダンボール紙の前記主表面部及び前記芯部の一方側の端縁が前記インナーソールの上側に位置し、他方側の端縁が前記インナーソールの下側に位置することを特徴とする使い捨て履物。
【請求項１２】
請求項１１に記載の使い捨て履物において、
前記ダンボール積層体の上面には上面カバーが配設され、前記ダンボール積層体の側面には側面カバーが配設されていることを特徴とする使い捨て履物。
【請求項１３】
請求項１〜１２のいずれかに記載の使い捨て履物において、
前記アウターソールは、前記インナーソールに対応する形状を有するアウターソール本体部と、少なくとも前記インナーソールの先端部に対応する部分及び前記インナーソールの後端部に対応する部分に形成され、前記インナーソールを挟み込むためのアウターソール周縁部とを有することを特徴とする使い捨て履物。
【請求項１４】
請求項１〜１２のいずれかに記載の使い捨て履物において、
前記アウターソールは、前記インナーソールの先端部に対応する形状を有する先端アウターソールと、前記インナーソールの後端部に対応する形状を有する後端アウターソールとからなることを特徴とする使い捨て履物。
【発明の詳細な説明】
【技術分野】
【０００１】
本発明は、使い捨て履物に関する。
【背景技術】
【０００２】
従来、ダンボール積層体を用いて製造された使い捨て履物が知られている（例えば、特許文献１参照。）。
図１８は、従来の使い捨て履物９０１を説明するために示す図である。図１８（ａ）は従来の使い捨て履物９０１の斜視図であり、図１８（ｂ）は従来の使い捨て履物９０１のIV-IV断面図であり、図１８（ｃ）は従来の使い捨て履物９０１から甲当て部９０３及び上部カバー９２２を除いた平面図である。
図１９は、従来の使い捨て履物９０１の構成分解図である。
【０００３】
従来の使い捨て履物９０１は、図１８及び図１９に示すように、表裏をなす各主表面部９２０ａ及びそれら主表面部９２０ａの間に介在した芯部９２０ｂを有する複数のダンボール紙９２０が、各々の主表面部９２０ａにて順次張り合わされてダンボール積層体が形成され、該ダンボール積層体を構成する各ダンボール紙９２０の主表面部９２０ａ及び芯部９２０ｂの端縁によって足裏が支えられるようにダンボール積層体によって足裏に沿う立体形状の履物底部９２１が形成されている。履物底部９２１には、クラフト紙からなる上部カバー９２２が貼付され、さらには、クラフト紙からなる甲当て部９０３が、その足幅方向両端部９０３ａが履物底部９２１と上部カバー９２２との間に挟み込まれた状態で取り付けられている。
【０００４】
従来の使い捨て履物９０１は、履物底部９２１を構成する各ダンボール紙９２０の主表面部９２０ａ及び芯部９２０ｂの端縁によって足裏が支えられる。これにより、１枚のダンボール紙の主表面部に足裏を載せるように履物底部が形成された特許文献２又は３に記載の紙製スリッパに比して、履物底部がつぶれにくい使い捨て履物となる。また、履物底部９２１は、足裏に沿うようにダンボール積層体が立体形状に形成されている。これにより、履物底部９２１に対してサンダル底のように厚みを持たせることができ、特許文献２又は３に記載の平板形状の紙製スリッパに比して、履き心地の良い使い捨て履物となる。
【０００５】
また、従来の使い捨て履物９０１は、履物底部９２１と甲当て部９０３とがともに紙製の材料を用いて製造されてなることから、特許文献２又は３に記載の紙製スリッパと同様に、環境負荷の低い使い捨て履物となる。その結果、従来の使い捨て履物９０１は、履物底部がつぶれにくく、履き心地が良く、さらには、環境負荷が低い使い捨て履物となる。
【先行技術文献】
【特許文献】
【０００６】
【特許文献１】特開２０１６−１３１８１６号公報
【特許文献２】特開平１１−１６４７０２号公報
【特許文献３】特開平１１−３１８５０４号公報
【発明の概要】
【発明が解決しようとする課題】
【０００７】
しかしながら、従来の使い捨て履物９０１においては、甲当て部９０３に伸縮性がないため、足の大きさ（足幅や甲の高さなどを含む。）の個人差に対応しにくく、足の大きい人が従来の使い捨て履物９０１を履くと、人によっては窮屈感を覚える場合もあり、履き心地の面で改善の余地があるとともに、甲当て部に一定以上の力が加わると、甲当て部９０３が履物底部９２１から外れてしまう場合があるという問題がある。
【０００８】
そこで、本発明は上記した問題を解決するためになされたもので、環境負荷が低く、かつ、従来の使い捨て履物に比べて履き心地に優れるとともに甲当て部が履物底部から外れにくい使い捨て履物を提供することを目的とする。
【課題を解決するための手段】
【０００９】
［１］本発明の使い捨て履物は、ダンボール積層体から形成され、足裏形状に対応する形状を有するインナーソール、及び、樹脂又はゴムから形成され、前記インナーソールに対応する形状を有するアウターソールを有する履物底部と、リサイクル可能な材料で形成され、足の甲形状に対応する形状をなす上方部分、及び、前記インナーソールと前記アウターソールとの間に挟まれることで前記履物底部に固定される下方部分を有する甲当て部と、を備え、前記甲当て部の前記上方部分には、少なくとも足幅方向の伸縮が可能な伸縮部が存在しており、当該伸縮部は、前記上方部分に対し少なくとも足幅方向の力が加わると、それぞれが拡開する多数の切り込みでなることを特徴とする。
【００１０】
［２］本発明の使い捨て履物においては、前記甲当て部は、帯状をなすリサイクル可能な材料の長手方向の両端部を接合して環状に形成してなることが好ましい。
【００１１】
［３］本発明の使い捨て履物においては、前記甲当て部は、リサイクル可能な材料が筒状に形成された筒状部材でなることも好ましい。
【００１２】
［４］本発明の使い捨て履物においては、足の幅方向を左右方向とし、前記足の指先とかかととを結ぶ方向を前後方向としたとき、前記切り込みは、前後方向に切り込まれた前後方向切り込みでなり、当該前後方向切り込みは、左右方向及び前後方向に沿ってそれぞれが所定本数存在し、それぞれの前後方向切り込みがそれぞれの前後方向切り込みの長手方向において非接触の重複部を有しながら互い違いに設けられていることが好ましい。
【００１３】
［５］本発明の使い捨て履物においては、前記前後方向切り込みは、前記前後方向切り込みのうち、前記上方部分の前方縁部側に位置する前方縁部側切り込みは、当該前方縁部に達するように設けられており、前記上方部分の後方縁部側に位置する後方縁部側切り込みは、当該後方縁部に達するように設けられていることが好ましい。
【００１４】
［６］本発明の使い捨て履物においては、前記前後方向切り込みは、前記前後方向切り込みのうち、前記上方部分の前方縁部側に位置する前方縁部側切り込みは、当該前方縁部に達しないように設けられており、前記上方部分の後方縁部側に位置する後方縁部側切り込みは、当該後方縁部に達するように設けられていることが好ましい。
【００１５】
［７］本発明の使い捨て履物においては、前記前後方向切り込みのうち、前記上方部分の後方縁部側に位置する後方縁部側切り込みの長さは、前記上方部分の前方側縁部側に位置する前方縁部側切り込みの長さよりも長く設定されていることが好ましい。
【００１６】
[８]本発明の使い捨て履物においては、足の幅方向を左右方向とし、前記足の指先とかかととを結ぶ方向を前後方向としたとき、前記切り込みは、左右方向に切り込まれた左右方向切り込みでなり、当該左右方向切り込みは、左右方向及び前後方向に沿ってそれぞれが所定本数存在し、それぞれの左右方向切り込みがそれぞれの左右方向切り込みの長手方向において非接触の重複部を有しながら互い違いに設けられていることも好ましい。
【００１７】
[９]本発明の使い捨て履物においては、前記甲当て部は、紙材又は麻材でなることが好ましい。
【００１８】
[１０]本発明の使い捨て履物においては、前記甲当て部は、前記上方部分に非接着で環装される覆い部をさらに有し、当該覆い部は、リサイクル可能な材料でなることが好ましい。
【００１９】
[１１]本発明の使い捨て履物においては、前記ダンボール積層体は、表裏をなす各主表面部及びこれら主表面部の間に介在した芯部を有する複数のダンボール紙が、各々の主表面部にて順次貼り合わされた構造を有するダンボール積層体であり、前記ダンボール積層体を構成する各ダンボール紙の前記主表面部及び前記芯部の一方側の端縁が前記インナーソールの上側に位置し、他方側の端縁が前記インナーソールの下側に位置することが好ましい。
【００２０】
[１２]本発明の使い捨て履物においては、前記ダンボール積層体の上面には上面カバーが配設され、前記ダンボール積層体の側面には側面カバーが配設されていることが好ましい。
【００２１】
[１３]本発明の使い捨て履物においては、前記アウターソールは、前記インナーソールに対応する形状を有するアウターソール本体部と、少なくとも前記インナーソールの先端部に対応する部分及び前記インナーソールの後端部に対応する部分に形成され、前記インナーソールを挟み込むためのアウターソール周縁部とを有することが好ましい。
【００２２】
[１４]本発明の使い捨て履物においては、前記アウターソールは、前記インナーソールの先端部に対応する形状を有する先端アウターソールと、前記インナーソールの後端部に対応する形状を有する後端アウターソールとからなることが好ましい。
【００２３】
上記［１］〜［１４］の他に、本発明の使い捨て履物においては、下記の特徴を有することが好ましい。
【００２４】
本発明の使い捨て履物においては、前記伸縮部は、前記上方部分の全域に存在していることが好ましい。
【００２５】
また、本発明の使い捨て履物においては、前記上方部分には、前記伸縮部が存在しない非伸縮領域が設けられており、前記伸縮部は、前記上方部分において前記非伸縮領域を除いた領域に存在していることが好ましい。
【００２６】
また、本発明の使い捨て履物においては、前記上方部分と前記下方部分との間で前記インナーソールの側面部に対応する部分を前記甲当て部の側方部分としたとき、前記伸縮部は、前記側方部分にも存在していることが好ましい。
【００２７】
また、本発明の使い捨て履物においては、前記側方部分に存在している伸縮部が、前記下方部分の一部の領域にまで延長して存在していることも好ましい。
【００２８】
また、本発明の使い捨て履物においては、前記アウターソールは、ポリアミド樹脂又はシリコーン樹脂からなることが好ましい。
【発明の効果】
【００２９】
本発明の使い捨て履物によれば、使い捨て履物を構成する主要構成部材（履物底部のインナーソール及び甲当て部）がリサイクル可能な材料（ダンボール積層体及びリサイクル可能な材料からなる紐）を用いて製造されてなることから、従来の使い捨て履物と同様に、環境負荷の低い使い捨て履物となる。
【００３０】
また、本発明の使い捨て履物によれば、甲当て部の上方部分が足の甲形状に対応する形状をなし、下方部がインナーソールとアウターソールとの間に挟まれ、上方部分には、少なくとも足幅方向の伸縮が可能な伸縮部が存在し、当該伸縮部は、多数の切り込みでなり、上方部分に対し少なくとも足幅方向の力が加わると、切り込みが拡開する。なお、切り込みが拡開すると、伸縮部は網目を形成する。このため、足の大きさの個人差にも対応でき、履き心地の面で優れた使い捨て履物となるとともに、甲当て部に一定以上の力が加わっても、切り込みが拡開することにより甲当て部に加わる力が吸収されるため、甲当て部９０３が履物底部から外れにくいものとなる。
【００３１】
その結果、本発明の使い捨て履物は、環境負荷が低く、かつ、従来の使い捨て履物に比べて履き心地に優れるとともに甲当て部が履物底部から外れにくい使い捨て履物となる。
【図面の簡単な説明】
【００３２】
【図１】実施形態１に係る使い捨て履物１００を説明するために示す図である。
【図２】実施形態１に係る使い捨て履物１００の製造工程を説明するための図である。
【図３】実施形態１に係る使い捨て履物１００を履いた状態（片足のみ）を示す図である。
【図４】実施形態２に係る使い捨て履物１０１を説明するために示す図である。
【図５】実施形態２に係る使い捨て履物１０１の変形例を説明するために示す図である。
【図６】実施形態３に係る使い捨て履物１０２を説明するために示す図である。
【図７】実施形態３に係る使い捨て履物１０２の変形例を説明するために示す図である。
【図８】実施形態４に係る使い捨て履物１０３を説明するために示す図である。
【図９】実施形態５に係る使い捨て履物１０４を説明するために示す図である。
【図１０】実施形態６に係る使い捨て履物１０５を説明するために示す図である。
【図１１】実施形態７に係る使い捨て履物１０６を説明するために示す図である。
【図１２】実施形態８に係る使い捨て履物１０７を説明するために示す図である。
【図１３】実施形態９に係る使い捨て履物１０８を説明するために示す図である。
【図１４】実施形態１０に係る使い捨て履物１０９を説明するために示す図である。
【図１５】実施形態１１に係る使い捨て履物１１０を説明するために示す図である。
【図１６】実施形態１２に係る使い捨て履物１１１を説明するために示す図である。
【図１７】上方部分５１０における前後方向切り込み５３１の設け方の変形例を説明するために示す図である。
【図１８】従来の使い捨て履物９０１を説明するために示す図である。
【図１９】従来の使い捨て履物９０１の構成分解図である。
【発明を実施するための形態】
【００３３】
以下、本発明の使い捨て履物を詳細に説明する。
【００３４】
［実施形態１］
１．使い捨て履物１００の構成
図１は、実施形態１に係る使い捨て履物１００を説明するために示す図である。なお、図１（ａ）は使い捨て履物１００の斜視図であり、図１（ｂ）は使い捨て履物１００の平面図であり、図１（ｃ）は使い捨て履物１００の側面図であり、図１（ｄ）はインナーソール３００の下面図であり、図１（ｅ）はインナーソール３００の側面図である。
【００３５】
図２は、実施形態１に係る使い捨て履物１００の製造工程を説明するための図である。なお、図２（ａ）は甲当て部５００を展開した図であり、図２（ｂ）はインナーソール３００に甲当て部５００を取り付ける様子を示す図であり、図２（ｃ）は甲当て部５００を取り付けたインナーソール３００にアウターソール４００を取り付ける様子を示す図であり、図２（ｄ）は甲当て部５００を取り付けたインナーソール３００にアウターソール４００を取り付けた状態を示す図である。なお、図２（ｄ）は実施形態１に係る使い捨て履物１００の完成図であり、図１（ａ）に対応する図である。
【００３６】
図３は、実施形態１に係る使い捨て履物１００を履いた状態（片足のみ）を示す図である。
【００３７】
実施形態１に係る使い捨て履物１００は、図１〜図３に示すように、ダンボール積層体から形成され、足裏形状に対応する形状を有するインナーソール３００、及び、樹脂又はゴムから形成され、インナーソール３００に対応する形状を有するアウターソール４００とを有する履物底部２００と、リサイクル可能な材料で形成され、足の甲形状に対応する形状をなす上方部分５１０、及び、インナーソール３００とアウターソール４００との間に挟まれることで履物底部２００に固定される下方部分５２０（図２（ｂ）参照。）と、上方部分５１０と下方部分５２０との間でインナーソールの側面３３０に対応する側方部分５４０とを有する甲当て部５００と、を備えている。
【００３８】
甲当て部５００の上方部分５１０には、少なくとも足幅方向（左右方向ともいう。）の伸縮が可能な伸縮部５３０が存在し、当該伸縮部５３０は、多数の切り込み５３１でなり、上方部分５１０に対し少なくとも足幅方向の力が加わると、図３に示すように、切り込み５３１が拡開する。切り込み５３１が拡開すると、伸縮部５３０は網目を形成する。このときの網目の空間形状は、図３においては菱形として示されているが、実際にはそれぞれが歪（ゆが）んだ菱形となる。また、実施形態１に係る使い捨て履物１００においては、伸縮部５３０は、上方部分５１０の全域に存在している。
【００３９】
実施形態１に係る使い捨て履物１００において、甲当て部５００は、リサイクル可能な材料として、例えば、クラフト紙で作られており、その厚みは０．３ｍｍ〜０．７ｍｍ程度であることが好ましい。クラフト紙としては、段ボールの表面紙などを例示できる。なお、甲当て部５００の厚みは、ここでは、０．３ｍｍ〜０．７ｍｍ程度としたが、必ずしもこのような厚みとする必要はなく、使用する材料などによって最適な厚さのものを使用可能である。
【００４０】
甲当て部５００の上方部分５１０に存在している伸縮部５３０は、足幅方向（左右方向）に交差する方向（前後方向という。）に切り込まれた線状の多数の前後方向切り込み５３１でなり、当該前後方向切り込み５３１は、左右方向及び前後方向に沿ってそれぞれが所定本数存在し、それぞれの前後方向切り込み５３１がそれぞれの切り込み５３１の長手方向（前後方向）において非接触の重複部ａ（図１（ｂ）における破線円Ａ内の拡大図参照。）を有しながら互い違いに設けられている。なお、図１（ｂ）における破線円Ａ内の拡大図においては、重複部ａは、特定の箇所しか例示されていないが、各切り込み５３１において存在する。
なお、「前後方向切り込み５３１」は、以下、「前後方向」を省略して「切り込み５３１」と表記する場合もある。
【００４１】
また、実施形態１に係る使い捨て履物１００においては、切り込み５３１のうち、上方部分５１０の前方縁部５１０ａ側に位置する各切り込み５３１ａ（前方縁部側切り込み５３１ａという。）は、当該前方縁部５１０ａに達するまで設けられており、後方縁部５１０ｂ側に位置する各切り込み５３１ｂ（後方縁部側切り込み５３１ｂという。）は、当該後方縁部５１０ｂに達するまで設けられている。
【００４２】
甲当て部５００の上方部分５１０に存在している伸縮部５３０が、このような多数の前後方向切り込み５３１によってなることにより、例えば、上方部分５１０に足を入れることによって（図３参照。）、上方部分５１０に対し例えば左右方向の力が加わると、多数の切り込み５３１が左右方向に拡開して、当該伸縮部５３０は網目を形成する。そして、上方部分５１０に、さらに左右方向の力が加わると、当該網目は歪みながら網目の空間を大きくするように変形する。なお、「左右方向の力」というのは、上方部分５１０を左右方向に引き伸ばすような力を指すものとする。
【００４３】
一方、甲当て部５００の上方部分５１０に加わった力が解放された場合には、切り込み５３１は元の状態（図１（ａ）の状態）にまでは復帰できない場合もあるが、ある程度の復帰力は期待できる。このため、甲当て部５００の上方部分５１０は伸縮性を持つこととなる。なお、当該使い捨て履物１００は、長期間に渡って繰り返し使用するものではなく、ホテルなどで一時的に使用する、いわゆる使い捨てのスリッパであるため、切り込み５３１が元の状態にまでは復帰できなくても、ある程度の復帰力があれば実用上差し支えないものとなる。
【００４４】
次に、インナーソール３００及びアウターソール４００について説明する。インナーソール３００には、甲当て部５００を配設するための甲当て部配設用凹部３４０（例えば図１（ｄ）参照。）が形成されている。甲当て部配設用凹部３４０は、甲当て部５００をインナーソール３００に取り付ける際に当該甲当て部５００を位置決めするための位置決め部としての機能を有している。このため、甲当て部配設用凹部３４０の前後方向の幅ｗ１（図１（ｄ）参照。）は、甲当て部５００の下方部分５２０の幅（前後向の幅）ｗ２（図２（ａ）参照。）とほぼ同様かわずかに広い程度とする。また、当該甲当て部配設用凹部３４０の深さは、甲当て部５００の厚みとほぼ同程かやや深い程度でよい。
【００４５】
このように構成されているインナーソール３００は、ダンボール積層体から形成されてなる。ダンボール積層体は、表裏をなす各主表面部及びこれら主表面部の間に介在した芯部を有する複数のダンボール紙が、各々の主表面部にて順次貼り合わされた構造を有する。そして、ダンボール積層体を構成する各ダンボール紙の主表面部及び芯部の一方側の端縁はインナーソール３００の上面３１０側に位置し、他方側の端縁がインナーソール３００の下面３２０側に位置する。そして、各ダンボール紙の主表面部及び芯部の端縁によって足裏が支えられるようにダンボール積層体によって足裏に沿う立体形状のインナーソール３００が形成されている。
【００４６】
また、インナーソール３００は、平面視にてその外形がほぼ足形に形成され、足裏に沿う（フィットする）ように、側面視にてヒール部の方がつま先部よりも厚く、かつ、ヒール部からつま先部あるいは中間部へ向かうに従って厚みが緩やかに減少するような曲面形状に形成されている。
【００４７】
一方、アウターソール４００（図２（ｃ）参照。）は、アウターソール本体部４１０と、これを全周取り囲むように形成されたアウターソール周縁部４２０とからなる。アウターソール４００は、樹脂又はゴム（例えば、ポリアミド樹脂）からなる。
【００４８】
２．使い捨て履物１００の製造工程
実施形態１に係る使い捨て履物１００は、以下の工程により製造することができる。
【００４９】
（１）主要部材の製造
（１−１）甲当て部５００
伸縮部５３０を有する甲当て部５００を作製する（図２（ａ）参照。）。図２（ａ）は甲当て部５００を展開したときの形状（甲当て部５００の展開形状という。）を示す図であり、甲当て部５００は、帯状をなすリサイクル可能な材料（帯状部材という。）が用いられる。なお、図２（ａ）に示されている甲当て部５００の展開形状は一例であって、甲当て部５００の展開形状は図２（ａ）に示す形状に限られるものではなく、種々の形状とすることができる。図２（ａ）に示すように、甲当て部５００において上方部分５１０となる領域には、伸縮部５３０となる多数の切り込み５３１が設けられている。このような甲当て部５００はプレス加工によって作製することができ、また、切り込み５３１も、プレス加工などによって設けることができる。
【００５０】
（１−２）インナーソール３００
表裏をなす各主表面部及びこれら主表面部の間に介在した芯部を有する複数のダンボール紙を、各々の主表面部にて順次貼り合わせて、ダンボール積層体を作製する。その後、ダンボール積層体を構成する各ダンボール紙の主表面部及び芯部の一方側の端縁がインナーソール３００の上面側に位置し、他方側の端縁がインナーソール３００の下面側に位置するように切削加工及び研削工程を施し、インナーソール３００の概略形状を作製する。インナーソール３００を作製する工程は、上記した特許文献１に記載の工程を同様である。
【００５１】
その後、インナーソール３００に再度切削加工及び研削工程を施して、インナーソール３００に甲当て部配設用凹部３４０を形成する。その後、各ダンボール紙の主表面部及び芯部の端縁によって足裏が支えられるような立体形状になるように、ダンボール積層体にプレス加工を施して、インナーソール３００とする（図１（ｄ）及び図１（ｅ）参照。）。
【００５２】
（１−３）アウターソール４００
射出成形により、インナーソール３００に対応する形状を有するアウターソール４００（図２（ｃ）参照。）を作製する。
【００５３】
なお、上記（１−１）、（１−２）及び（１−３）は、作製順序を表すものではなく、甲当て部５００、インナーソール３００及びアウターソール４００を作製する順序は任意である。
【００５４】
（２）使い捨て履物１００の組み立て
（２−１）インナーソール３００への甲当て部５００の取り付け
まず、甲当て部５００を作製する。甲当て部５００は、図２（ａ）に示すような帯状部材の長手方向の両端部を接合して環状の甲当て部５００とする。ここで、両端部を接合する方法としては、例えば、帯状部材の両端部を重ねて接着しろ５０１を設けて、当該接着しろ５０１を接着剤などにより接着する方法を例示できるが、その他の方法によって接合してもよい。なお、ここで用いる接着剤としては、環境負荷の小さい自然素材からなる接着剤（例えば、米糊など）が好ましい。
【００５５】
そして、環状の当て部５００をインナーソール３００に取り付ける（図２（ｂ）参照。）。甲当て部５００をインナーソール３００に取り付ける際には、甲当て部５００の下方部分５２０をインナーソール３００の甲当て部配設用凹部３４０に嵌め込むようにして取り付ける。これにより、甲当て部５００は、インナーソール３００に対して適切に位置決めされた状態でインナーソール３００の甲当て部配設用凹部３４０に取り付けることができる。
【００５６】
このとき、甲当て部５００は、甲当て部配設用凹部３４０に接着剤によって接着するようにしてもよいが、接着剤による接着はしなくてもよい。甲当て部５００Ａを甲当て部配設用凹部３４０に接着剤によって接着しないことによって、甲当て部５００の下方部分５２は、左右方向への動きに多少の自由度があるため、左右方向の引っ張り力が働いた場合、当該引っ張り力をある程度は吸収できる。これにより、甲当て部５００Ａが破損しにくくなり、甲当て部５００の耐久性を向上させることができる。なお、甲当て部５００を接着剤により接着する場合には、接着剤としては、環境負荷の小さい自然素材からなる接着剤（例えば、米糊など）が好ましい。
【００５７】
（２−２）インナーソール３００に対するアウターソール４００の取り付け
次に、甲当て部５００を取り付けたインナーソール３００に対してアウターソール４００を取り付ける（図２（ｃ）及び図２（ｄ）参照。）。
【００５８】
（３）殺菌工程
上記の各工程を経て使い捨て履物１００を作製した後、殺菌処理（例えば紫外線の照射による殺菌処理）を行う。これにより、衛生管理レベルを高いものとすることができる。
【００５９】
以上の工程により、実施形態１に係る使い捨て履物１００を製造することができる。このようにして製造された実施形態１に係る使い捨て履物１００は、甲当て部５００の上方部分５１０に伸縮部５３０が存在しているため、上方部分５１０は伸縮性を有することとなる。このため、上方部分５１０に足を入れたときに、上方部分５１０に対して例えば左右方向の力が加わると、多数の前後方向切り込み５３１が左右方向に拡開して、伸縮部５３０は網目を形成する。このときの網目は、それぞれが歪んだ菱形となる。そして、上方部分５１０に対して、左右方向の力がさらに大きく加わると、当該歪んだ菱形は、その空間が左右方向にさらに広がるように歪みながら変形する。
【００６０】
なお、使い捨て履物１００を使用する人が例えば女性のように、比較的小さな足（例えば、足幅が狭かったり、甲高でない足）である場合には、当該使い捨て履物１００の上方部分５１０に足を入れただけの状態では、当該上方部分５１０に対しては、特に左右方向の力が加わらない場合もあるが、当該使い捨て履物１００を履いた状態で歩いたりすると、上方部分５１０に対しては何らかの力が加わる。この場合、伸縮部５３０は、その力によって前後方向切り込み５３１が拡開して網目を形成するため、窮屈感がなく、履き心地のよいものとなる。
【００６１】
一方、比較的大きな足（例えば、足幅が広かったり、甲高であったりする足）の人が当該使い捨て履物１００を履いた場合においては、使い捨て履物１００に足を入れた状態となった段階で、上方部分５１０に対して、特に左右方向の力が上方部分５１０に加わり、伸縮部５３０は、その力によってそれぞれの前後方向切り込み５３１が左右方向に拡開して網目を形成する。そして、その状態で歩いたりすると、上方部分５１０に対して、左右方向の力がさらに大きく加わるが、このとき、網目は空間をさらに大きくするように変形するため、比較的大きな足の人が当該使い捨て履物を履いた場合であっても、窮屈感がなく、履き心地のよいものとなる。
【００６２】
なお、甲当て部５００に存在している伸縮部５３０は、前後方向切り込み５３１でなるため、特に、上方部分５１０に対して、左右方向の力が加わった場合に、より大きく変形可能であるが、伸縮部５３０は網目を形成するため、上方部分５１０は全方向への伸縮が可能となる。このため、上方部分５１０に対して、左右方向の力だけではなく、前後方向の力や上方向の力が加わった場合でも、ある程度は変形可能である。なお、「前後方向の力」というのは上方部分５１０を前後方向に引き伸ばすような力を指すものとし、「上方向の力」というのは上方部分５１０を上方向に引き伸ばすような力を指すものとする。
【００６３】
３．使い捨て履物１００の効果
実施形態１に係る使い捨て履物１００によれば、当該使い捨て履物１００を構成する主要構成部材（インナーソール３００及び甲当て部５００）がリサイクル可能な材料（ダンボール積層体及びリサイクル可能な材料からなる紙材）を用いて製造されてなることから、従来の使い捨て履物９０１と同様に、環境負荷の低い使い捨て履物となる。
【００６４】
また、甲当て部５００の上方部分５１０には、伸縮部５３０が存在しているため、上方部分に５１０に力が加わっても当該力を伸縮部５３０で吸収することができる。実施形態１に係る使い捨て履物１００においては、伸縮部５３０は前後方向切り込み５３１でなるため、甲当て部５００の上方部分５１０に対して、左右方向の力が加わった場合において、より大きく変形可能となる。但し、切り込み５３１が変形すると、伸縮部５３０は網目を形成するため、上方部分５１０は左右方向（足幅方向）以外の方向にも伸縮性を有するものとなる。このため、左右方向の力だけではなく、前後方向の力や上方向の力が上方部分５１０に加わった場合でも、ある程度は変形可能である。
【００６５】
このため、実施形態１に係る使い捨て履物１００は、使用者に窮屈感を与えることがなく、履き心地において優れたものとなる。また、甲当て部５００の上方部分５１０に加わる力は伸縮部５３０で吸収されるため、甲当て部５００が履物底部２００から外れにくいものとなる。
【００６６】
その結果、実施形態１に係る使い捨て履物１００は、従来の使い捨て履物に比べて履き心地に優れるとともに甲当て部５００が履物底部２００から外れにくい使い捨て履物となる。また、甲当て部５００は、紙などのリサイクル可能な材料をプレス加工などによって例えば図２（ａ）示すように作製することができるため、甲当て部５００を安価に大量生産することができ、また、当該甲当て部５００をインナーソール３００に取り付けるための加工も簡単な作業で行える。このため、実施形態１に係る使い捨て履物１００は、大量生産が可能となり、それによって、安価な使い捨て履物となる。
【００６７】
また、実施形態１に係る使い捨て履物１００によれば、インナーソール３００には、甲当て部配設用凹部３４０が形成されていることから、甲当て部５００をインナーソール３００に取り付ける際に位置決めがし易くなり、使い捨て履物１００を大量生産する際に、甲当て部５００の取り付け位置にばらつきがなくなり、品質の均一化が図れる。
【００６８】
また、実施形態１に係る使い捨て履物１００によれば、ダンボール積層体を構成する各ダンボール紙の主表面部及び芯部の一方側の端縁がインナーソール３００の上面３１０側に位置し、他方側の端縁がインナーソール３００の下面３２０側に位置することから、体重がかかっても履物底部２００がつぶれにくい使い捨て履物となる。
【００６９】
また、実施形態１に係る使い捨て履物１００によれば、足裏に沿うようにダンボール積層体が立体形状に形成されていることから、履物底部２００に対してサンダル底のように厚みを持たせることができ、特許文献２又は３に記載の平板形状の紙製スリッパに比して、履き心地の良い使い捨て履物となる。
【００７０】
また、実施形態１に係る使い捨て履物１００によれば、アウターソール４００が合成樹脂（例えばポリアミド樹脂又はシリコーン樹脂）から形成されてなることから、使い捨て履物１００を、例えばホテルなどのスリッパとして用いた場合、インナーソール３００及び甲当て部５００は、使い捨てとし、アウターソール４００は、リユースするといった使い方をすることができる。
【００７１】
また、実施形態１に係る使い捨て履物１００によれば、アウターソール４００を廃棄する場合であっても、合成樹脂はリサイクルできるため、環境負荷を低くできる。また、最終的に合成樹脂をリサイクルせずに廃棄する場合であっても、合成樹脂は焼却できるため、環境負荷を低くできる。なお、アウターソール４００が合成樹脂からなることから、インナーソール３００の厚さを薄くしたり、合成樹脂を柔軟性のあるものにしたりすることによって、インナーソール３００の柔軟性を高くして、使い捨て履物としての履き心地を良いものにすることもできる。特に、合成樹脂として、ポリアミド樹脂やシリコーン樹脂を選択した場合には、使い捨て履物としての履き心地を特に良いものにすることもできる。
【００７２】
［実施形態２］
図４は、実施形態２に係る使い捨て履物１０１を説明するために示す図である。なお、図４は実施形態２に係る使い捨て履物１０１の平面図である。実施形態２に係る使い捨て履物１０１は、基本的には、実施形態１に係る使い捨て履物１００と同様の構成を有するが、図４に示すように、多数の切り込み５３１でなる伸縮部５３０が上方部分５１０の全域に存在しているのではなく、上方部分５１０のうち一部の領域を除いた箇所に存在している。この点が、実施形態１に係る使い捨て履物１００とは異なり、その他の構成は実施形態１に係る使い捨て履物１００と同様載構成を有している。なお、実施形態２に係る使い捨て履物１０１において、前述の実施形態１に係る使い捨て履物１００と共通する構成については、同一符号を付し、重複した説明を省略する。
【００７３】
実施形態２に係る使い捨て履物１０１は、図４に示すように、上方部分５１０のうち一部に、伸縮部５３０が存在しない領域（非伸縮領域とする。）５１１が設けられており、伸縮部５３０は、上方部分５１０において非伸縮領域５１１を除いた領域に存在している。具体的には、上方部分５１０の頂点部（左右方向の中央部Ｐ１）を中心とした所定領域を非伸縮領域５１１として、当該非伸縮領域５１１を除いた領域に伸縮部５３０が存在している。このため、当該伸縮部５３０は、非伸縮領域５１１の左右両側に存在していることとなる。また、非伸縮領域５１１は、上方部分５１０の前方縁部５１０ａ及び後方縁部５１０ｂにまでそれぞれ達するように設けられている。なお、非伸縮領域５１１は、上方部分の全領域のうちの例えば１／３程度との領域とする。
【００７４】
実施形態２に係る使い捨て履物１０１のように、伸縮部５３０が非伸縮領域５１１を除いた箇所に存在しているような構成であっても、上方部分５１０は少なくとも左右方向の伸縮性が確保されるため、実施形態１に係る使い捨て履物１００で得られる効果と同様の効果が得られる。
【００７５】
また、実施形態２に係る使い捨て履物１０１においては、甲当て部５００の上方部分５１０には、非伸縮領域５１１が設けられているため、実施形態１に係る使い捨て履物１００で得られる効果に加えて、非伸縮領域５１１を印刷スペースとして使用できる。このため、例えば、当該使い捨て履物１０１をホテルなどの宿泊施設用のスリッパとして使用する場合であれば、当該非伸縮領域５１１には、各種メセージ（宿泊施設の名称、ロゴマーク、電話番号、注意書き、広告など）を印刷できる。さらに、当該宿泊施設の利用者の氏名などを記入可能な枠などを設けておけば、１つの部屋を複数人が宿泊する場合などにおいては、個々の宿泊者は、自分が使用するスリッパに名前などを記入することができ、それによって、個々の宿泊者は自分が使用しているスリッパを特定し易くなる。
【００７６】
（実施形態２に係る使い捨て履物１０１の変形例）
図５は、実施形態２に係る使い捨て履物１０１の変形例を説明するために示す図である。なお、図５は実施形態２に係る使い捨て履物１０１の変形例の平面図である。
実施形態２に係る使い捨て履物１０１の変形例を「使い捨て履物１０１’」として説明する。また、当該使い捨て履物１０１’において、前述の実施形態２に係る使い捨て履物１０１と共通する構成については、同一符号を付し、重複した説明を省略する。
【００７７】
使い捨て履物１０１’は、非伸縮領域５１１を除いた領域に、多数の切り込み５３１でなる伸縮部５３０が存在している点では実施形態２に係る使い捨て履物１０１と同じであるが、非伸縮領域５１１が実施形態２に係る使い捨て履物１０１に比べて、より少ない範囲に設けられている点が異なる。
【００７８】
具体的には、使い捨て履物１０１’においては、非伸縮領域５１１は、上方部分５１０の前方縁部５１０ａ及び後方縁部５１０ｂにまでそれぞれ達してなく、非伸縮領域５１１と前方縁部５１０ａとの間及び非伸縮領域５１１と後方縁部５１０ｂとの間には、わずかであるが伸縮部５３０がそれぞれ存在している。すなわち、非伸縮領域５１１は伸縮部５３０に囲まれるように設けられている。
【００７９】
非伸縮領域５１１が上方部分５１０においてこのように設けられている使い捨て履物１０１’であっても、実施形態２に係る使い捨て履物１００で得られる効果とほぼ同様の効果が得られることに加えて、使い捨て履物１０１’においては、非伸縮領域５１１と前方縁部５１０ａとの間及び非伸縮領域５１１と後方縁部５１０ｂとの間においても、切り込み５３１でなる伸縮部５３０が存在しているため、非伸縮領域５１１と前方縁部５１０ａとの間及び非伸縮領域５１１と後方縁部５１０ｂとの間においても、切り込み５３１による伸縮性が確保される。
【００８０】
［実施形態３］
図６は、実施形態３に係る使い捨て履物１０２を説明するために示す図である。なお、図６（ａ）は実施形態３に係る使い捨て履物１０２の要部を拡大して示す側面図であり、図６（ｂ）は図６（ａ）示す使い捨て履物１０２の左右方向断面図である。
【００８１】
実施形態３に係る使い捨て履物１０２は、基本的には、実施形態１に係る使い捨て履物１００と同様の構成を有するが、図６に示すように、上方部分５１０と下方部分５２０との間の側方部分５４０（インナーソール３００の側面３３０に対応する部分）にも伸縮部５３０が存在している。この点が、実施形態１に係る使い捨て履物１００とは異なり、その他の構成は実施形態１に係る使い捨て履物１００と同様の構成を有している。なお、実施形態３に係る使い捨て履物１０２において、実施形態１に係る使い捨て履物１００と共通する構成については、同一符号を付し、重複した説明を省略する。
【００８２】
このように、実施形態３に係る使い捨て履物１０２は、甲当て部５００の側方部分５４０にも、多数の切り込み５３１でなる伸縮部５３０が存在している。これにより、実施形態３に係る使い捨て履物１０２は、実施形態１に係る使い捨て履物１００で得られる効果に加えて、甲当て部５００の側方部分５４０においても伸縮部が存在していることによる効果が得られる。すなわち、実施形態３に係る使い捨て履物１０２においては、甲当て部５００の側方部分５４０にも伸縮部５３０が存在していることによって、甲当て部５００がインナーソール３００の上面３１０の角部３５０（上面側角部３５０という。）においても伸縮性が確保できるため、インナーソール３００の上面側角部３５０によって受ける負荷が甲当て部５００の同じ個所に集中しにくくなり、それによって、インナーソール３００の上面側角部３５０において甲当て部５００が破損しにくくなるといった効果も得られる。
【００８３】
（実施形態３に係る使い捨て履物１０２の変形例）
図７は、実施形態３に係る使い捨て履物１０２の変形例を説明するために示す図である。なお、図７（ａ）は実施形態３に係る使い捨て履物１０２の変形例の要部を拡大して示す側面図であり、図７（ｂ）は実施形態３に係る使い捨て履物１０１の変形例においてアウターソール４００を取り外した後にインナーソール３００の下面３２０側から見た平面図である。実施形態３に係る使い捨て履物１０２の変形例を「使い捨て履物１０２’」として説明する。また、当該使い捨て履物１０２’において、前述の実施形態３に係る使い捨て履物１０２と共通する構成については、同一符号を付し、重複した説明を省略する。
【００８４】
使い捨て履物１０２’は、図７（ａ）に示すように、基本的には実施形態３に係る使い捨て履物１０２と同様の構成を有するが、使い捨て履物１０２’においては、図７（ｂ）に示すように、甲当て部５００の側方部分５４０に存在している伸縮部５３０が、甲当て部５００における下方部分５２０の一部の領域にまで延長して存在している。この点が実施形態３に係る使い捨て履物１０２とは異なり、その他の構成は実施形態３に係る使い捨て履物１０２と同様載構成を有している。
【００８５】
なお、上記「下方部分５２０の一部の領域」というのは、下方部分５２０において、インナーソール３００における下面３２０（甲当て部配設用凹部３４０）の左右両側の角部３６０（下面側角部３６０という。）から、当該インナーソール３００における下面の中心方向へそれぞれ１０ｍｍ〜３０ｍｍ程度までの間に対応する領域としている。この場合、甲当て部５００の下方部分５２０をインナーソール３００の甲当て部配設用凹部３４０（図１（ｄ）参照。）に接着剤により接着する際においては、少なくとも、伸縮部５３０が存在している領域は、インナーソールの甲当て部配設用凹部３４０に接着せずに、伸縮部５３０が伸縮性を保持できるようにする。
【００８６】
このように、使い捨て履物１０２’においては、甲当て部５００の側方部分５４０に伸縮部５３０が存在していることに加えて、下方部分５２０の一部の領域にまで伸縮部５３０が存在している。これにより、使い捨て履物１０３’は、実施形態３に係る使い捨て履物１０２で得られる効果に加えて、甲当て部５００がインナーソール３００の下面３２０の角部３６０（下面側角部３６０という。）においても伸縮性が確保できるため、甲当て部５００がインナーソール３００の下面側角部３６０で受ける負荷が同じ個所に集中しにくくなり、それによって、インナーソール３００の下面側角部３６０において甲当て部５００が破損しにくくなるといった効果も得られる。
【００８７】
なお、実施形態３に係る使い捨て履物１０２及びその変形例の使い捨て履物１０２’においても、実施形態２に係る使い捨て履物１０１及びその変形例の使い捨て履物１０１’それぞれが有する各実施形態特有の構成及び各変形例特有の構成を採用することが可能である。
【００８８】
［実施形態４］
図８は、実施形態４に係る使い捨て履物１０３を説明するために示す図である。なお、図８は実施形態４に係る使い捨て履物１０３の斜視図である。
【００８９】
実施形態４に係る使い捨て履物１０３は、基本的には、実施形態１に係る使い捨て履物１００と同様の構成を有するが、実施形態４に係る使い捨て履物１０３においては、甲当て部５００は、図８に示すように、上方部分５１０を覆う覆い部５６０をさらに有している。この点が、実施形態１に係る使い捨て履物１００とは異なり、その他の構成は実施形態１に係る使い捨て履物１００と同様の構成を有している。なお、実施形態４に係る使い捨て履物１０３において、実施形態１に係る使い捨て履物１００と共通する構成については、同一符号を付し、重複した説明を省略する。
【００９０】
上方部分５１０を覆う覆い部５６０は、リサイクル可能な材料でなり、上方部分５１０に非接着で環装された状態で上方部分５１０に取り付けられている。具体的には、覆い部５６０は当該覆い部５６０を展開したときの形状がほぼ長方形状をなしており、当該長方形状の覆い部５６０を、上方部分５１０の前後方向に巻き付けるように取り付けられている。このとき、覆い部５６０は、上方部分５１０に非接着で取り付けられている。このため、上方部分５１０は覆い部５６０によって左右方向の動きが規制されることなく、上方部分５１０の左右方向の伸縮性が損なわれることがない。また、覆い部５６０は、前後方向においても、多少のゆとりを持たせて上方部分５１０に取り付けておけば、上方部分５１０は前後方向及び上方向にもある程度は伸縮性を確保できる。
【００９１】
なお、覆い部５６０としては、各種の洋紙や和紙を用いることができるが、履き心地や見栄えの点から和紙を用いることが好ましい。また、覆い部５６０を展開したときの形状はほぼ長方形状に限定されるものではなく、種々の形状とすることができる。
【００９２】
このように、実施形態４に係る使い捨て履物１０３は、上方部分５１０を覆う覆い部５６０をさらに有することから、実施形態１に係る使い捨て履物１００で得られる効果に加えて、実施形態４に係る使い捨て履物１０３においては、足の甲が伸縮部５３０の切り込み５３１に直接接触することがなくなり、より一層、履き心地の良い使い捨て履物となるといった効果が得られる。また、覆い部５６０は、実施形態２に係る使い捨て履物１０１及びその変形例の使い捨て履物１０１’と同様に、印刷スペースとして利用することができ、各種メッセージ（例えば、宿泊施設であれば、宿泊施設の名称、ロゴマーク、電話番号、注意書き、広告など）注意書き、広告など）を記載することができるようになる。
【００９３】
なお、実施形態４に係る使い捨て履物１０３においても、実施形態２に係る使い捨て履物１０１及びその変形例の使い捨て履物１０１’、実施形態３に係る使い捨て履物１０２及びその変形例の使い捨て履物１０２’それぞれが有する各実施形態特有の構成及び各変形例特有の構成を採用することが可能である。
【００９４】
[実施形態５]
図９は、実施形態５に係る使い捨て履物１０４を説明するために示す図である。なお、図９（ａ）は実施形態５に係る使い捨て履物１０４の斜視図であり、図９（ｂ）は図９（ａ）に示す使い捨て履物１０４からアウターソール４００を取り外した後にインナーソール３００の下面３２０側から見た平面図である。
【００９５】
実施形態５に係る使い捨て履物１０４は、基本的には、実施形態１に係る使い捨て履物１００と同様の構成を有するが、実施形態５に係る使い捨て履物１０４においては、甲当て部５００のインナーソール３００への取り付け方が、実施形態１に係る使い捨て履物とは異なり、その他の構成は実施形態１に係る使い捨て履物１００と同様載構成を有している。なお、実施形態５に係る使い捨て履物１０４において、実施形態１に係る使い捨て履物１００と共通する構成については、同一符号を付し、重複した説明を省略する。
【００９６】
実施形態５に係る使い捨て履物１０４は、これまで説明した各実施形態のように、環状の甲当て部５００（図２（ｂ）参照。）をインナーソール３００に取り付けるのではなく、甲当て部５００の下方部分５２０を短くして、短くした下方部分５２０の一方の端部５２０ａ及び他方の端部５２０ｂ（図９（ｂ）参照。）を、インナーソール３００の甲当て部配設用凹部３４０においてインナーソール３００の下面側角部３６０に近い部分でそれぞれ接着させるようにしている。
【００９７】
このように構成されている実施形態５に係る使い捨て履物１０４においては、甲当て部５００の作製に必要な紙の長さ（横方向の長さ）を実施形態１に係る使い捨て履物１００に比べて短くすることができ、甲当て部５００を作製するに必要な紙の使用量を削減できるといった効果も得られる。
【００９８】
なお、実施形態５に係る使い捨て履物１０４においても、実施形態２に係る使い捨て履物１０１及びその変形例の使い捨て履物１０１’、実施形態３に係る使い捨て履物１０２及びその変形例の使い捨て履物１０２’、実施形態４に係る使い捨て履物１０３それぞれが有する各実施形態特有の構成及び各変形例特有の構成を採用することが可能である。
【００９９】
[実施形態６]
図１０は、実施形態６に係る使い捨て履物１０５を説明するために示す図である。なお、図１０は実施形態６に係る使い捨て履物１０５の平面図である。
【０１００】
実施形態６に係る使い捨て履物１０５は、基本的には、実施形態１に係る使い捨て履物１００と同様の構成を有するが、図１０に示すように、伸縮部５３０の上方部分５１０における切り込み５３１の長さが上方部分５１０の位置によって異なったものとなっている。その他の構成は実施形態１に係る使い捨て履物１００と同様の構成を有している。このてめ、実施形態６に係る使い捨て履物１０５において、実施形態１に係る使い捨て履物１００と共通する構成については、同一符号を付し、重複した説明を省略する。なお、「切り込み５３１の長さ」というのは、前後方向切り込み５３１の前後方向の切り込み長さであり、これを簡略化して「切り込み５３１の長さ」と表記している。
【０１０１】
実施形態６に係る使い捨て履物１０５においては、切り込み５３１のうち、後方縁部５１０ｂ側に位置する後方縁部側切り込み５３１ｂの長さが、前方縁部５１０ａ側に位置する前方縁部側切り込み５３１ａの長さよりも長く設定されている。このとき、各切り込み５３１の長さは、上方部分５１０の前方縁部５１０ａから後方縁部５１０ｂに向かうに従って徐々に長くするようにしてもよく、また、後方縁部５１０ｂ側に位置する後方縁部側切り込み５３１ｂだけを他の切り込み５３１よりも長くするようにしてもよい。
【０１０２】
各切り込み５３１の長さがこのように設定されていることによって、甲当て部５００の後方縁部５１０ｂ側の伸縮性をより大きくすることができる。これにより、甲当て部５００において最も負荷が加わる後方縁部５１０ｂの負荷が軽減され、甲当て部５００が破損しにくくなり、耐久性の向上が図れ、かつ、履き心地に優れたものとなる。
【０１０３】
なお、実施形態６に係る使い捨て履物１０５においても、実施形態２に係る使い捨て履物１０１及びその変形例の使い捨て履物１０１’、実施形態３に係る使い捨て履物１０２及びその変形例の使い捨て履物１０２’、実施形態４に係る使い捨て履物１０３、実施形態５に係る使い捨て履物１０４それぞれが有する各実施形態特有の構成及び各変形例特有の構成を採用することが可能である。
【０１０４】
[実施形態７]
図１１は、実施形態７に係る使い捨て履物１０６を説明するために示す図である。なお、図１１は実施形態７に係る使い捨て履物１０６の平面図である。
【０１０５】
実施形態７に係る使い捨て履物１０６は、基本的には、実施形態１に係る使い捨て履物１００と同様の構成を有するが、図１１に示すように、上方部分５１０における切り込み５３１の設け方を変えた点及び切り込み５３１の長さを実施形態６の場合と同様に設定した点が実施形態１に係る使い捨て履物１００と異なったものとなっている。その他の構成は実施形態１に係る使い捨て履物１００と同様の構成を有している。このため、実施形態１１に係る使い捨て履物１０９において、実施形態１に係る使い捨て履物１００と共通する構成については、同一符号を付し、重複した説明を省略する。
【０１０６】
実施形態７に係る使い捨て履物１０６においては、切り込み５３１のうち、前方縁部５１０ａ側に位置する前方縁部側切り込み５３１ａは、当該前方縁部５１０ａに達しないように設けられており、後方縁部５１０ｂ側に位置する後方縁部側切り込み５３１ｂは、当該後方縁部５１０ｂに達するまで設けられている。
【０１０７】
また、実施形態７に係る使い捨て履物１０６においては、実施形態６の場合と同様に、切り込み５３１のうち、後方縁部側切り込み５３１ｂの長さが、前方縁部側切り込み５３１ａの長さよりも長く設定されている。このとき、実施形態６の場合と同様に、各切り込み５３１の長さは、上方部分５１０の前方縁部５１０ａから後方縁部５１０ｂに向かうに従って徐々に長くするようにしてもよく、また、後方縁部５１０ｂ側に位置する後方縁部側切り込み５３１ｂだけを他の切り込みよりも長くするようにしてもよい。
【０１０８】
切り込み５３１が上方部分５１０においてこのように設けられていることによって、甲当て部５００の前方縁部５１０ａ（足のつま先側の縁部）においては、伸縮性は得られないが、伸縮性がない分、足のつま先側の甲の部分をしっかりとホールドすることができる。一方、後方縁部５１０ｂにおいては、後方縁部側切り込み５３１ｂが当該後方縁部５１０ｂに達するまで設けられているため、甲当て部５００の後方縁部５１０ｂ側の伸縮性を大きくすることができる。これにより、甲当て部５００において最も負荷が加わる後方縁部５１０ｂの負荷が軽減され、甲当て部５００が破損しにくくなり、耐久性の向上が図れ、かつ、履き心地に優れたものとなる。
【０１０９】
また、後方縁部側切り込み５３１ｂの長さは、前方縁部側切り込み５３１ａの長さよりも長く設定されているため、甲当て部５００の後方縁部５１０ｂ側の伸縮性をより大きくすることができる。このため、甲当て部５００において最も負荷が加わる後方縁部５１０ｂの負荷が軽減され、甲当て部５００が破損しにくくなり、耐久性の向上が図れ、かつ、履き心地に優れたものとなる。
【０１１０】
なお、実施形態７に係る使い捨て履物１０６においては、後方縁部側切り込み５３１ｂの長さは、前方縁部側切り込み５３１ａの長さよりも長く設定した場合を例示したが、必ずしもこのように設定する必要はなく、例えば、実施形態１に係る使い捨て履物１００と同様に、各切り込み５３１の長さは、上方部分５１０のどの位置においても同じとしてもよい（例えば、図１及び図２参照。）。また、実施形態７に係る使い捨て履物１０６においても、実施形態２に係る使い捨て履物１０１及びその変形例の使い捨て履物１０１’、実施形態３に係る使い捨て履物１０２及びその変形例の使い捨て履物１０２’、実施形態４に係る使い捨て履物１０３、実施形態５に係る使い捨て履物１０４それぞれが有する各実施形態特有の構成及び各変形例特有の構成を採用することが可能である。
【０１１１】
[実施形態８]
図１２は、実施形態８に係る使い捨て履物１０７を説明するために示す図である。なお、図１２（ａ）は実施形態８に係る使い捨て履物１０７の斜視図であり、図１２（ｂ）は図１２（ａ）から甲当て部を取り出して示す図である。
【０１１２】
実施形態８に係る使い捨て履物１０７は、外観的には、実施形態１に係る使い捨て履物１００とほぼ同様であるが、甲当て部５００の構成が実施形態１に係る使い捨て履物１００と異なる。その他の構成は実施形態１に係る使い捨て履物１００と同様の構成を有している。このため、実施形態１１に係る使い捨て履物１１０において、実施形態１に係る使い捨て履物１００と共通する構成については、同一符号を付し、重複した説明を省略する。
【０１１３】
実施形態８に係る使い捨て履物１０７においては、甲当て部５００は、リサイクル可能な材料が筒状に形成された筒状部材でなる。このような甲当て部（甲当て部５００Ａとする。）は、実施形態１に係る使い捨て履物１００において用いられている甲当て部５００と異なり、端部同士を接着材によって接合する必要がないため、接着しろ５０１（図２（ｂ）参照。）が存在しない。このため、下方部分５２０に段差が生じることなく、下方部分５２０を平坦とすることができることから、実施形態８に係る使い捨て履物１０７は、履き心地がより良いものなる。
【０１１４】
甲当て部５００Ａは、例えば、甲当て部５００として使用可能な径Φを有する長尺の筒状部材６００を製造して、当該長尺の筒状部材６００を図１２（ｂ）に示す切断線Ｃに沿って所定の長さＬごとに切断することで、実施形態８に係る使い捨て履物１０７の甲当て部５００Ａとすることができる。なお、当該筒状部材の径Φは、一般的な足の甲が入る程度の径とする。
【０１１５】
そして、所定の長さＬとなった筒状部材において、上方部分５１０となる領域に多数の切り込み５３１を設ける。また、下方部分５２０となる領域が平坦となるようにして、当該平坦となった下方部分５２０を甲当て部配設用凹部３４０（図１（ｄ）及び図２（ｂ）参照。）に嵌め込むようにして、インナーソール３００とアウターソールとの間に取り付ける。これにより、甲当て部５００Ａは、インナーソール３００に対して適切に位置決めされた状態でインナーソール３００の甲当て部配設用凹部３４０に取り付けることができる。
【０１１６】
なお、切り込み５３１は、この場合、実施形態６に係る使い捨て履物１０５の場合と同様に、後方縁部側切り込み５３１ｂの長さが、前方縁部側切り込み５３１ａの長さよりも長く設定されている。このとき、実施形態６の場合と同様に、各切り込み５３１の長さは、上方部分５１０の前方縁部５１０ａから後方縁部５１０ｂに向かうに従って徐々に長くするようにしてもよく、また、後方縁部５１０ｂ側に位置する後方縁部側切り込み５３１ｂだけを他の切り込みよりも長くするようにしてもよい。
【０１１７】
また、切り込み５３１は、長尺の筒状部材６００を切断線Ｃに沿って所定の長さＬごとに切断する前の段階で設けるようにしてもよい。換言すれば、長尺の筒状部材６００において、切り込み５３１を設けた後に、切断線Ｃに沿って所定の長さＬごとに切断して図１２（ｂ）のような甲当て部５００Ａとしてもよい。
【０１１８】
ところで、甲当て部５００Ａを甲当て部配設用凹部３４０に嵌め込むようにして、インナーソール３００とアウターソールとの間に取り付ける際においては、甲当て部５００Ａは甲当て部配設用凹部３４０に接着剤によって接着するようにしてもよいが、接着剤による接着はしなくてもよい。甲当て部５００Ａを甲当て部配設用凹部３４０に接着剤によって接着しないことにより、甲当て部５００Ａの下方部分５２は、左右方向への動きに多少の自由度があるため、左右方向への引っ張り力をある程度は吸収できる。このため、甲当て部５００Ａが破損しにくくなり、甲当て部５００Ａの耐久性を向上させることができる。なお、甲当て部５００Ａを接着剤により接着する場合には、接着剤としては、環境負荷の小さい自然素材からなる接着剤（例えば、米糊など）が好ましい。
【０１１９】
実施形態８に係る使い捨て履物１０７によれば、甲当て部５００Ａは筒状部材でなるため、帯状部材により製造された甲当て部のように端部を接着剤などにより接合する工程を省くことができ、使い捨て履物の製造工程を簡略化することができる。
【０１２０】
また、甲当て部５００Ａの切り込み５３１は、実施形態６に係る使い捨て履物１０５において説明した切り込み５３１（図１０参照。）と同様であることにより、実施形態６に係る使い捨て履物１０５と同様の効果が得られる。特に、実施形態８に係る使い捨て履物１０７において用いる甲当て部５００Ａは、当該甲当て部５００Ａにおいて足の甲が入る後方縁部５１０ｂの径が、つま先が入る前方縁部５１０ａ側と同じとなるため、足の甲の部分に窮屈感を与える場合があるが、後方縁部側切り込み５３１ｂの長さが、前方縁部側切り込み５３１ａの長さよりも長く設定されていることによって、後方縁部５１０ｂの伸縮性をより大きくすることができ、足の甲の部分に窮屈感を与えることなく、履き心地を良くすることができる。
【０１２１】
なお、甲当て部５００Ａの切り込み５３１は、実施形態７に係る使い捨て履物１０６において説明した切り込み（図１１参照。）と同様のものであってもよい。これにより、実施形態７に係る使い捨て履物１０６と同様の効果が得られる。すなわち、前方縁部側切り込み５３１ａが当該前方縁部５１０ａに達するまで設けられていないことから、当該前方縁部５１０ａ側（足のつま先部側）においては、伸縮性は得られないが、伸縮性がない分、足のつま先側の甲の部分をしっかりとホールドすることができる。一方、後方縁部５１０ｂにおいては、後方縁部側切り込み５３１ｂが当該後方縁部５１０ｂに達するまで設けられているため、甲当て部５００の後方縁部５１０ｂ側の伸縮性を大きくすることができる。これにより、甲当て部５００において最も負荷が加わる後方縁部５１０ｂの負荷が軽減され、甲当て部５００が破損しにくくなり、耐久性の向上が図れ、かつ、履き心地に優れたものとなる。
【０１２２】
なお、実施形態８に係る使い捨て履物１０７においては、後方縁部側切り込み５３１ｂの長さは、前方縁部側切り込み５３１ａの長さよりも長く設定した場合を例示したが、必ずしもこのように設定する必要はなく、例えば、実施形態１に係る使い捨て履物１００と同様に、各切り込み５３１の長さは、上方部分５１０のどの位置においても同じとしてもよい（例えば、図１及び図２参照。）。また、実施形態８に係る使い捨て履物１０７においても、実施形態２に係る使い捨て履物１０１及びその変形例の使い捨て履物１０１’、実施形態３に係る使い捨て履物１０２及びその変形例の使い捨て履物１０２’、実施形態４に係る使い捨て履物１０３、実施形態５に係る使い捨て履物１０４それぞれが有する各実施形態特有の構成及び各変形例特有の構成を採用することが可能である。
【０１２３】
［実施形態９］
図１３は、実施形態９に係る使い捨て履物１０８を説明するために示す図である。図１３（ａ）は履物底部２００の下面図であり、図１３（ｂ）は使い捨て履物１０５の前後方向断面図である。
【０１２４】
実施形態９に係る使い捨て履物１０８は、基本的には、実施形態１に係る使い捨て履物１００と同様の構成を有するが、アウターソールの構成が実施形態１に係る使い捨て履物１００の場合と異なり、その他の構成は実施形態１に係る使い捨て履物１００と同様の構成を有している。なお、実施形態９に係る使い捨て履物１０８において、実施形態１に係る使い捨て履物１００と共通する構成については、同一符号を付し、重複した説明を省略する。
【０１２５】
実施形態９に係る使い捨て履物１０８においては、図１３に示すように、アウターソール（アウターソール４０２とする。）が、インナーソール３００の先端部に対応する形状を有する先端アウターソール４０２ａと、インナーソール３００の後端部に対応する形状を有する後端アウターソール４０２ｂとからなる。
【０１２６】
このように、実施形態９に係る使い捨て履物１０８は、アウターソール４０２が、インナーソール３００の先端部に対応する形状を有する先端アウターソール４０２ａと、インナーソール３００の後端部に対応する形状を有する後端アウターソール４０２ｂとからなり、土踏まずの部分が省略された構造を有することから、より一層履き心地の良い使い捨て履物となる。
【０１２７】
なお、実施形態９に係る使い捨て履物１０８においても、実施形態２に係る使い捨て履物１０１及びその変形例の使い捨て履物１０１’、実施形態３に係る使い捨て履物１０２及びその変形例の使い捨て履物１０２’、実施形態４に係る使い捨て履物１０３、実施形態５に係る使い捨て履物１０４、実施形態６に係る使い捨て履物１０５、実施形態７に係る使い捨て履物１０６、実施形態８に係る使い捨て履物１０７それぞれが有する各実施形態特有の構成及び各変形例特有の構成を採用することが可能である。
【０１２８】
［実施形態１０］
図１４は、実施形態１０に係る使い捨て履物１０９を説明するために示す図である。図１４（ａ）はインナーソール３００の左右方向断面を模式的に示す図であり、図１４（ｂ）は使い捨て履物１０９において甲当て部が存在する位置のインナーソール３００の左右方向断面図を模式的に示すである。なお、図１４においては、アウターソール４００は図示が省略されている。
【０１２９】
実施形態１０に係る使い捨て履物１０９は、基本的には、実施形態１に係る使い捨て履物１００と同様の構成を有するが、インナーソール３００の構成が実施形態１に係る使い捨て履物１００の場合と異なり、その他の構成は実施形態１に係る使い捨て履物１００と同様の構成を有している。なお、実施形態１０に係る使い捨て履物１０９において、実施形態１に係る使い捨て履物１００と共通する構成については、同一符号を付し、重複した説明を省略する。
【０１３０】
実施形態１０に係る使い捨て履物１０９においては、インナーソール３００が、図１４に示すように、当該インナーソール３００の角部（左右両側の上面側角部３５０及び左右両側の下面側角部３６０）がそれぞれ面取りされた形状を有する。
【０１３１】
このように、実施形態１０に係る使い捨て履物１０９は、インナーソール３００の上面側角部３５０及び下面側角部３６０がそれぞれ面取りされた形状を有することから、甲当て部５００がインナーソール３００の上面側角部３５０及び下面側角部３６０で破損しにくくなり、甲当て部５００が破損しにくくなる。
【０１３２】
なお、実施形態１０に係る使い捨て履物１０９においても、実施形態２に係る使い捨て履物１０１及びその変形例の使い捨て履物１０１’、実施形態３に係る使い捨て履物１０２及びその変形例の使い捨て履物１０２’、実施形態４に係る使い捨て履物１０３、実施形態５に係る使い捨て履物１０４、実施形態６に係る使い捨て履物１０５、実施形態７に係る使い捨て履物１０６、実施形態８に係る使い捨て履物１０７、実施形態９に係る使い捨て履物１０８それぞれが有する各実施形態特有の構成及び各変形例特有の構成を採用することが可能である。
【０１３３】
［実施形態１１］
図１５は、実施形態１１に係る使い捨て履物１１０を説明するための図である。なお、図１５（ａ）は実施形態１１に係る使い捨て履物１１０の斜視図であり、図１５（ｂ）は実施形態１１に係る使い捨て履物１１０において使用するアウターソールを示す斜視図である。
【０１３４】
実施形態１１に係る使い捨て履物１１０は、基本的には、実施形態１に係る使い捨て履物１００と同様の構成を有するが、アウターソール４００の構成が実施形態１に係る使い捨て履物１００の場合と異なり、その他の構成は実施形態１に係る使い捨て履物１００と同様の構成を有している。なお、実施形態１１に係る使い捨て履物１１０において、実施形態１に係る使い捨て履物１００と共通する構成については、同一符号を付し、重複した説明を省略する。
【０１３５】
実施形態１１に係る使い捨て履物１１０においては、図１５に示すように、アウターソール４００が、アウターソール本体部４１０と、アウターソール本体部４１０の先端部及び後端部のみに形成されたアウターソール周縁部４２０とからなる。すなわち、アウターソール周縁部４２０は、中途部（例えば、足の土踏まずに対応する箇所とする。）で分断されたものとなっており、足の土踏まずに対応する箇所付近においては、アウターソール周縁部４２０が存在しないものとなっている。
【０１３６】
実施形態１１に係る使い捨て履物１１０によれば、アウターソール４００が、アウターソール本体部４１０と、アウターソール本体部の先端部及び後端部のみに形成されたアウターソール周縁部４２０とからなることから、インナーソール３００にアウターソール４００を取り付ける際においては、アウターソール４００を変形させ易くなるため、インナーソール３００にアウターソール４００を取り付けるための作業が容易になる。
【０１３７】
なお、実施形態１１に係る使い捨て履物１１０においても、実施形態２に係る使い捨て履物１０１及びその変形例の使い捨て履物１０１’、実施形態３に係る使い捨て履物１０２及びその変形例の使い捨て履物１０２’、実施形態４に係る使い捨て履物１０３、実施形態５に係る使い捨て履物１０４、実施形態６に係る使い捨て履物１０５、実施形態７に係る使い捨て履物１０６、実施形態８に係る使い捨て履物１０７、実施形態１０に係る使い捨て履物１０９それぞれが有する各実施形態特有の構成及び各変形例特有の構成を採用することが可能である。
【０１３８】
［実施形態１２］
図１６は、実施形態１２に係る使い捨て履物１１１説明するために示す図である。なお、図１６は実施形態１２に係る使い捨て履物１１１の平面図である。
【０１３９】
実施形態１２に係る使い捨て履物１１１は、基本的には、実施形態１に係る使い捨て履物１００と同様の構成を有するが、図１６に示すように、伸縮部５３０は、左右方向に切り込まれた線状の多数の左右方向切り込み５３２でなる。この点が実施形態１に係る使い捨て履物１００と異なり、その他の構成は実施形態１に係る使い捨て履物１００と同様載構成を有している。なお、実施形態１２に係る使い捨て履物１１１において、実施形態１に係る使い捨て履物１００と共通する構成については、同一符号を付し、重複した説明を省略する。
【０１４０】
実施形態１２に係る使い捨て履物１１１によれば、実施形態１に係る使い捨て履物１００とほぼ同様の効果が得られる。なお、実施形態１２に係る使い捨て履物１１１においては、伸縮部５３０は、左右方向切り込み５３２でなるため、上方部分５１０に対し、前後方向の力が加わった場合に変形し易いものとなる。但し、伸縮部５３０は、切り込み５３２が拡開することにより網目を形成するため、上方部分５１０は前後方向以外の方向にも伸縮性を有するものとなる。このため、前後方向の力だけではなく、左右方向の力や上方向の力が上方部分５１０に加わった場合でも、ある程度は変形可能である。
【０１４１】
なお、実施形態１２に係る使い捨て履物１１１においても、実施形態２に係る使い捨て履物１０１及びその変形例の使い捨て履物１０１’、実施形態３に係る使い捨て履物１０２及びその変形例の使い捨て履物１０２’、実施形態４に係る使い捨て履物１０３、実施形態５に係る使い捨て履物１０４、実施形態８に係る使い捨て履物１０７、実施形態９に係る使い捨て履物１０８、実施形態１０に係る使い捨て履物１０９、実施形態１１に係る使い捨て履物１１０それぞれが有する各実施形態特有の構成及び各変形例特有の構成を採用することが可能である。
【０１４２】
なお、本発明は上述の実施形態に限られるものではなく、本発明の要旨を逸脱しない範囲で種々変形実施可能となるものである。たとえば、下記に示すような変形実施も可能である。
【０１４３】
（１）上記実施形態９においては、前後方向切り込み５３１の長さを、上方部分５１０の位置に応じて切り込みの長さを変えるようにした例を説明したが、これは、左右方向切り込み５３２（実施形態１２）においても同様に実施できる。すなわち、後方縁部５１０ｂ側における左右方向切り込みの左右方向長さを前方縁部５１０ａ側における左右方向切り込みの長さ（左右方向の長さ）よりも長くすることを例示できる。
【０１４４】
（２）上記実施形態１〜１１において、前方縁部５１０ａ側に位置する前方縁部側切り込み５３１ａは、当該前方縁部５１０ａに達しないように設けるとともに、後方縁部５１０ｂ側に位置する後方縁部側切り込み５３１ｂも、当該後方縁部５１０ｂに達しないように設けるようにしてもよい。
【０１４５】
図１７は、上方部分５１０における前後方向切り込み５３１の設け方の変形例を説明するために示す図である。図１７に示すように、前方縁部５１０ａ側に位置する前方縁部側切り込み５３１ａは、当該前方縁部５１０ａに達しないように設けるとともに、後方縁部５１０ｂ側に位置する後方縁部側切り込み５３１ｂも、当該後方縁部５１０ｂに達しないように設けられている。なお、図１７は、実施形態１に係る使い捨て履物１００を説明するために示した図１（ｂ）に対応する図である。
【０１４６】
前方縁部側切り込み５３１ａ及び後方縁部側切り込み５３１ｂを図１７に示すように設けた場合、上方部分５１０に対し、左右方向の力が加わった場合には、前方縁部５１０ａ及び後方縁部５１０ｂには前後方向切り込みが存在しないため、左右方向への動きが規制されてしまい、前方縁部５１０ａ側及び後方縁部５１０ｂにおいては伸縮性が得られないが、伸縮性がない分、当該前方縁部５１０ａ側及び後方縁部５１０ｂにおいて、足の甲をしっかりとホールドすることができる。なお、前方縁部側切り込み５３１ａ及び後方縁部側切り込み５３１ｂが前方縁部５１０ａ側及び後方縁部５１０ｂにそれぞれ達しないように設けられていても、情報部５１０には足の動きに応じて網目の形成が可能であるため、上方部分５１０に加わる左右方向の力、前後方向の力及び上方向の力はある程度吸収できる。
【０１４７】
また、前方縁部側切り込み５３１ａ及び後方縁部側切り込み５３１ｂが図１７に示すように設けられている場合であっても、実施形態２に係る使い捨て履物１０１及びその変形例の使い捨て履物１０１’、実施形態３に係る使い捨て履物１０２及びその変形例の使い捨て履物１０２’、実施形態４に係る使い捨て履物１０３、実施形態５に係る使い捨て履物１０４、実施形態８に係る使い捨て履物１０７、実施形態９に係る使い捨て履物１０８、実施形態１０に係る使い捨て履物１０９、実施形態１１に係る使い捨て履物１１０それぞれが有する各実施形態特有の構成及び各変形例特有の構成を採用することが可能である。
【０１４８】
（３）上記実施形態１〜１１においては、甲当て部５００は、伸縮部５３０の各前後方向切り込み５３１が線状の状態でインナーソール３００に取り付けられている場合を例示したが（例えば、図１（ａ）及び図１（ｂ）参照。）、甲当て部５００をインナーソール３００に取り付ける際に、伸縮部５３０に多少の引き伸ばし力（左右方向に引き伸ばす力）を与えて各前後方向切り込み５３１を左右方向にある程度拡開させた状態とした上で(伸縮部５３０が網目を形成した状態で)、甲当て部５００をインナーソール３００に取り付けるようにしてもよい。
【０１４９】
同様に、上記実施形態１２においては、甲当て部５００は、伸縮部５３０の各左右方向切り込み５３２が線状の状態でインナーソール３００に取り付けられている場合を例示したが（例えば、図１６参照。）、甲当て部５００をインナーソール３００に取り付ける際に、伸縮部５３０に多少の引き伸ばし力（前後方向に引き伸ばす力）を与えて各左右方向切り込み５３２を前後方向にある程度拡開させた状態とした上で(伸縮部５３０が網目を形成した状態で)、甲当て部５００をインナーソール３００に取り付けるようにしてもよい。
【０１５０】
（４）上記各実施形態においては、切り込みの形状は線状とした場合を例示したが、線状に限られるものではなく、切り込みの形状を、例えば、３角形、長方形、正方形、菱形、６角形など様々な形状を有する空間とし、それによって伸縮部５３０が、始めから網目状を形成していてもよい。
【０１５１】
切り込みをこのように設けた場合においては、伸縮部５３０に力を与えない状態においても網目を形成することとなるが、この場合であっても、上方部分５１０の伸縮性はある程度は得られる。また、切り込みを菱形などの様々な形状を有する空間とした場合においても、例えば、上方部分５１０において、つま先に近いほど切り込みの空間を大きくするというように、上方部分の位置に応じて切り込みの空間の大きさを変えるようにしてもよい。
【０１５２】
（５）上記各実施形態においては、甲当て部５００（実施形態８においては甲当て部５００Ａ）として紙を用いた場合を例示したが、本発明はこれに限定されるものではない。例えば、甲当て部５００又は甲当て部５００Ａとして、麻材などを使用することができる。また、多少の伸縮性を有する紙が開発されているため、当該多少の伸縮性を有する紙を用いて、上記各実施形態の使い捨て履物における甲当て部５００又は甲当て部５００Ａを作成し、当該伸縮性を有する紙で作成された甲当て部に上記各実施形態で説明したような伸縮部５３０が存在するようにしてもよい。なお、多少の伸縮性を有する紙としては、例えば、「<http://portal.tt-paper.co.jp/kinou/solution/elasticity.html>」に「伸びに特徴のある紙」として記載されている。
【０１５３】
（６）上記各実施形態においては、インナーソール３００がダンボール積層体からなるものであったが、本発明はこれに限定されるものではない。例えば、インナーソール３００が、ダンボール積層体の上面に上面カバー（例えばクラフト紙）が配設されているものであってもよいし、側面に側面カバー（クラフト紙）が配設されているものであってもよい。上面カバーは、装飾性を高めつつも中敷きとして機能するものであり、側面カバーは、装飾性を高めるものである。上面カバーや側面カバーは、例えば、両面テープ等の接着剤によりインナーソール３００に貼付することができる。
【０１５４】
（７）上記各実施形態においては、アウターソールが合成樹脂（例えば、ポリアミド樹脂、シリコーン樹脂）からなるものであったが、本発明はこれに限定されるものではない。例えば、アウターソールがゴムからなるものであってもよい。
【符号の説明】
【０１５５】
１００，１０１，１０２，１０３，１０４，１０５，１０６，１０７，１０８．１０９，１１０，１１１・・・使い捨て履物、２００・・・履物底部、３００・・・インナーソール、３１０・・・上面、３２０・・・下面、３３０・・・側面、３４０・・・甲当て部配設用凹部、３５０・・・上面側角部、３６０・・・下面側角部、４００・・・アウターソール、４０２ａ・・・アウターソール先端部、４０２ｂ・・・アウターソール後端部、４１０・・・アウターソール本体部、４２０・・・アウターソール周縁部、５００，５００Ａ・・・甲当て部、５１０・・・上方部分、５１１・・・非伸縮領域、５２０・・・下方部分、５３０・・・伸縮部、５３１・・・切り込み（前後方向切り込み）、５３１ａ・・・前方縁部側切り込み、５３１ｂ・・・後方縁部側切り込み、５３２・・・切り込み（左右方向切り込み）、５６０・・・覆い部
【図１】
2019141356.tif 000003
【図２】
2019141356.tif 000004
【図３】
2019141356.tif 000005
【図４】
2019141356.tif 000006
【図５】
2019141356.tif 000007
【図６】
2019141356.tif 000008
【図７】
2019141356.tif 000009
【図８】
2019141356.tif 000010
【図９】
2019141356.tif 000011
【図１０】
2019141356.tif 000012
【図１１】
2019141356.tif 000013
【図１２】
2019141356.tif 000014
【図１３】
2019141356.tif 000015
【図１４】
2019141356.tif 000016
【図１５】
2019141356.tif 000017
【図１６】
2019141356.tif 000018
【図１７】
2019141356.tif 000019
【図１８】
2019141356.tif 000020
【図１９】
2019141356.tif 000021